(57)【要約】  【課題】表示手段に表示されているものの中から指定した特定の対象物についての情報を、その対象物の表示画面上での状態に対応して、異なる表示形式で情報表示手段に表示させる情報表示システム、およびその情報表示システムを採用した携帯情報端末を提供すること。  【解決手段】撮影手段１で撮影している画像を表示手段２に表示させ、観察者が、その画像の中から特定の対象物を指定すると、抽出手段３が、その対象物を画像認識し、その情報を対象物状態検出手段４と検索手段５に与える。対象物状態検出手段４は、その対象物の位置や距離などを検出し、検索手段５は、データベース６から、その対象物の名称などを検索する。情報表示制御手段７は、対象物状態検出手段４と検索手段５からの情報を照合し、例えば、対象物の遠近に対応した大きさで名称を対象物の近傍に表示する。また、対象物についての説明文などは、情報表示手段８に表示する。【選択図】  図１
2009301485.tif 000002
【特許請求の範囲】
【請求項１】
撮影手段と、
前記撮影手段によって撮像された画像を表示する表示手段と、
前記表示手段に表示されている画像から特定の少なくとも一つの対象物を抽出する抽出手段と、
前記抽出手段によって抽出された前記対象物の状態を検出する対象物状態検出手段と、
前記抽出手段によって抽出された前記対象物に関する情報をデータベースから検索する検索手段と、
前記検索手段が検索した前記対象物に関する情報を前記対象物状態検出手段によって検出した前記対象物の状態に対応させて情報表示手段に表示させる情報表示制御手段と、
を有することを特徴とする情報表示システム。
【請求項２】
前記検索手段は、前記データベースから、前記対象物の簡易情報と、該簡易情報よりも詳しい少なくとも一つの詳細情報とを検索することが可能であることを特徴とする請求項１に記載の情報表示システム。
【請求項３】
前記対象物状態検出手段は、少なくとも、前記対象物が前記表示手段の画面上でどこの位置にあるのかを検出することが可能であり、前記情報表示制御手段は、その位置に対応させて、前記情報表示手段に表示させる前記対象物の情報表示形式を変え得るようにしたことを特徴とする請求項１又は２に記載の情報表示システム。
【請求項４】
前記対象物状態検出手段は、少なくとも、前記表示手段の画像上で前記対象物がどのくらいの大きさであるかを検出することが可能であり、前記情報表示制御手段は、その大きさに対応して、前記情報表示手段に表示させる前記対象物の情報表示形式を変え得るようにしたことを特徴とする請求項１乃至３のいずれかに記載の情報表示システム。
【請求項５】
前記対象物状態検出手段は、少なくとも、前記撮影手段からの距離を検出することが可能であり、前記情報表示制御手段は、その距離に対応して、前記情報表示手段に表示させる前記対象物の情報表示形式を変え得るようにしたことを特徴とする請求項１乃至４のいずれかに記載の情報表示システム。
【請求項６】
前記対象物状態検出手段は、少なくとも、前記表示手段の画面上での移動量を検出することが可能であり、前記情報表示制御手段は、その移動量に対応して、前記情報表示手段に表示させる前記対象物の情報表示形式を変え得るようにしたことを特徴とする請求項１乃至５のいずれかに記載の情報表示システム。
【請求項７】
前記対象物状態検出手段は、少なくとも、前記表示手段の画面上での前記対象物の変化量を検出することが可能であり、前記情報表示制御手段は、その変化量に対応して、前記情報表示手段に表示させる前記対象物の情報表示形式を変え得るようにしたことを特徴とする請求項１乃至６のいずれかに記載の情報表示システム。
【請求項８】
前記表示手段は、前記情報表示手段を兼ねていることを特徴とする請求項１乃至７のいずれかに記載の情報表示システム。
【請求項９】
請求項１乃至８のいずれかに記載の情報表示システムを採用していることを特徴とする携帯情報端末。
【請求項１０】
前記携帯情報端末は通信手段を備えており、前記抽出手段によって抽出された前記対象物に関する情報を、該通信手段を介して、外部のデータベースから検索することを可能にしたことを特徴とする請求項９に記載の携帯情報端末。
【発明の詳細な説明】
【技術分野】
【０００１】
本発明は、情報表示手段に表示されている特定の対象物についての情報を、その対象物の大きさや位置などに対応して異なる表示を行なうようにした情報表示システム、およびその情報表示システムを採用した携帯情報端末に関する。
【背景技術】
【０００２】
最近では、携帯電話やＰＤＡなどの多くの携帯情報端末に、ＣＣＤなどの撮像素子を用いた撮影装置が内蔵されていたり、必要に応じて取り付けられるようになってきた。他方、単体のデジタルカメラの中にも、情報通信システムを搭載したものが実現しているが、そのようなカメラも携帯情報端末の一種であるということができる。そして、それらの携帯情報端末の撮影装置には、その撮影装置によって撮影した撮像情報を記録するために記憶手段を備えているものと、撮像情報を記録するためには別に記憶手段を接続しなければならないものとがあるが、いずれの場合にも、撮像素子が撮像した画像は、表示手段（例えば、液晶などの表示装置）によってリアルタイムで観察することが可能になっている。
【０００３】
ところで、このような携帯情報端末を用いて、表示手段に表示されている画像を観察しているとき、観察者は、その画像中の特定の対象物（例えば、建造物や動植物など）についての情報（例えば、名称）を知りたくなる場合がある。そこで、そのような要求に応えられるものとして、下記の特許文献１には、現在位置を検出する位置情報取得手段と、対象物が存在する方向を検出する方位情報取得手段と、複数の位置情報を格納した対象物データベースと、上記の位置情報取得手段により検出した現在位置と上記の方位情報取得手段で検出した方向とに基づいて上記の対象物データベースを検索して対象物を特定する制御手段と、を有していて、その制御手段によって特定された情報を表示手段に表示させるようにした対象物特定装置が開示されている。そして、その特許文献１には、対象物データベースを外部データベースとして、携帯情報端末と通信回線で結ぶようにすることも記載されている。
【０００４】
【特許文献１】特開２００１−２１６３０９号公報
【発明の開示】
【発明が解決しようとする課題】
【０００５】
ところが、最近ではユーザー（以下、観察者という）のニーズが多様化してきていて、特定された対象物が、観察者が観察している画像上でどのような状態におかれていたとしても、その特定の対象物についての情報が、情報表示手段に対して常に同じ表示形式で表示されるだけでは満足することができなくなっている。
【０００６】
そのため、例えば、特定の対象物については、名称だけではなく、その対象物についての解説も表示できるようにすることが要求されている。また、特定の対象物との距離によって表示形式を変えるようにするとか、特定の対象物の大小によって表示形式を変えるようにするとか、特定の対象物が移動をしていたり特定の対象物に対する撮影装置の視角を変えたりした場合には、特定の対象物が画面の隅の方に存在するときと中央に存在するときとで表示形式を変えるようにする、というように、特定の対象物についての情報を、その対象物の大きさや位置などに対応して異なる表示形式で表示することが要求されている。
【０００７】
本発明は、このような問題点を解決するためになされたものであり、その目的とするところは、表示手段に表示されているものの中から選んだ特定の対象物についての情報を、その特定の対象物の表示画面上での状態に対応して、異なる表示形式で情報表示手段に表示させることにより、観察者が、その情報を認識し易くなるようにした情報表示システム、およびその情報表示システムを採用した携帯情報端末を提供することである。
【課題を解決するための手段】
【０００８】
上記の目的を達成するために、本発明の情報表示システムは、撮影手段と、前記撮影手段によって撮像された画像を表示する表示手段と、前記表示手段に表示されている画像から特定の少なくとも一つの対象物を抽出する抽出手段と、前記抽出手段によって抽出された前記対象物の状態を検出する対象物状態検出手段と、前記抽出手段によって抽出された前記対象物に関する情報をデータベースから検索する検索手段と、前記検索手段が検索した前記対象物に関する情報を前記対象物状態検出手段によって検出した前記対象物の状態に対応させて情報表示手段に表示させる情報表示制御手段と、を有していることを特徴としている。
【０００９】
また、本発明の情報表示システムにおいては、前記検索手段は、前記データベースから、前記対象物の簡易情報と、該簡易情報よりも詳しい少なくとも一つの詳細情報とを検索することが可能であることが好ましい。
【００１０】
また、本発明の情報表示システムにおいては、前記対象物状態検出手段は、少なくとも、前記対象物が前記表示手段の画面上でどこの位置にあるのかを検出することが可能であり、前記情報表示制御手段は、その位置に対応させて、前記情報表示手段に表示させる前記対象物の情報表示形式を変え得るようにするのが好ましい。
【００１１】
また、本発明の情報表示システムにおいては、前記対象物状態検出手段は、少なくとも、前記表示手段の画面上で前記対象物がどのくらいの大きさであるかを検出することが可能であり、前記情報表示制御手段は、その大きさに対応して、前記情報表示手段に表示させる前記対象物の情報表示形式を変え得るようにするのが好ましい。
【００１２】
また、本発明の情報表示システムにおいては、前記対象物状態検出手段は、少なくとも、前記撮影手段からの距離を検出することが可能であり、前記情報表示制御手段は、その距離に対応して、前記情報表示手段に表示させる前記対象物の情報表示形式を変え得るようにするのが好ましい。
【００１３】
また、本発明の情報表示システムにおいては、前記対象物状態検出手段は、少なくとも、前記表示手段の画面上での移動量を検出することが可能であり、前記情報表示制御手段は、その移動量に対応して、前記情報表示手段に表示させる前記対象物の情報表示形式を変え得るようにするのが好ましい。
【００１４】
また、本発明の情報表示システムにおいては、前記対象物状態検出手段は、少なくとも、前記表示手段の画面上での前記対象物の変化量を検出することが可能であり、前記情報表示制御手段は、その変化量に対応して、前記情報表示手段に表示させる前記対象物の情報表示形式を変え得るようにするのが好ましい。
【００１５】
また、本発明の情報表示システムにおいては、前記表示手段は、前記情報表示手段を兼ねているようにするのが好ましい。
【００１６】
更に、請求項１乃至８のいずれかに記載の情報表示システムは、携帯情報端末に採用するのが好ましい。その場合、携帯情報端末に通信手段を備えておき、前記抽出手段によって抽出された前記対象物に関する情報を、該通信手段を介して、外部のデータベースから検索することを可能にすると、一層好適な携帯情報端末が得られる。
【発明の効果】
【００１７】
本発明の情報表示システムおよびそれを用いた携帯情報端末は、表示手段に表示されている画像上における少なくとも一つの特定の対象物に関する情報が、その対象物の位置や大きさなどの状態に対応して、異なる表示形式で情報表示手段に表示されるので、観察者にとっては、その対象物についての情報が極めて認識し易くなる。また、特定の対象物が複数種類にわたる場合には、距離などによって表示形式を変わることにより、それらの識別が非常にし易くなる。更に、移動していたり、大きさなどが変化している対象物については、その変化量に対応してタイムリーな情報を得ることも可能になる。
【発明を実施するための最良の形態】
【００１８】
本発明の実施形態の構成を、図１に示したブロック図を用いて説明し、その後、実施例を、図２〜図６を用いて説明する。
【００１９】
図１において、撮影手段１は、ＣＣＤなどの撮像素子を有していて、撮影された撮像情報を、画像として、液晶パネルなどからなる表示手段２にリアルタイムで表示させる。観察者は、その表示手段２の画面に表示されている全ての対象物を観察し、特定の対象物について、その名称やその対象物についての説明情報（解説）を知りたいときは、抽出手段３によってその対象物の種々の特徴を抽出する。
【００２０】
抽出手段３による特定の対象物の抽出方法には種々の方法があるが、例えば、建造物の場合には塔，ビルなどの情報を、また、風景の場合には山，川などの情報を、さらに、動物の場合には獣，鳥などの大まかな情報のほか、その対象物についての形状や色などの具体的な固有の特徴的な情報をキーボードで打ち込む。また、表示手段２の画面をタッチパネルにして特定の対象物にタッチしたり、カーソルで指定したりする場合は、画像認識を行うようにする。更に、その対象物の特徴を音声入力するようにしてもよい。但し、本発明の抽出手段３は、あらゆる分野の対象物を抽出することができるものであることを要さず、例えば、動物についてだけ抽出できるようにしたものであっても差し支えない。
【００２１】
対象物状態検出手段４は、抽出手段３で抽出された対象物が、表示手段２の画面上で、どのような状態におかれているかを検出する。そして、この対象物状態検出手段４としては、具体的には、抽出された対象物が、画面上のどこの位置にあるのかを検出することの可能な位置検出手段を有しているほか、画面上における抽出された対象物の大きさを検出することの可能な大きさ検出手段と、撮影手段から抽出された対象物までの距離を検出することの可能な距離検出手段と、画面上における抽出された対象物の移動量を検出することの可能な移動量検出手段と、画面上における抽出された対象物の変化量を検出することの可能な変化量検出手段などを有している。但し、本発明の対象物状態検出手段４は、それらの全ての検出を行なうことができるものであることを要さず、例えば、位置検出手段だけを有するものであっても差し支えない。
【００２２】
検索手段５は、抽出手段３で抽出された対象物に関する情報をデータベース６で検索し、その検索によって得られた情報を情報表示制御手段７に与える。そして、本発明の情報表示システムを携帯情報端末に適用した場合は、この検索手段５とデータベース６を、必ずしも携帯情報端末に備える必要はなく、携帯情報端末には通信手段を備えておき、検索手段５とデータベース６とは外部に備え、その通信手段を介して、検索手段５にデータベース６の情報を検索させ、得られた情報を、通信手段を介して情報表示制御手段７に与えるようにしても構わないし、携帯情報端末に検索手段５とデータベース６を備えた場合でも、そのデータベース６では得られない情報を、通信手段を介して、外部のデータベースから得るようにしても構わない。
【００２３】
そして、データベース６から得られる情報には、簡易情報と詳細情報があるが、本発明の説明においては、簡易情報とは、対象物の名称などのように、比較的少ない情報量でその対象物を特定することができる情報をいい、詳細情報とは、その対象物についての解説のように比較的情報量の大きい情報をいう。また、詳細情報については、その情報量の差によって、同じ対象物について複数の詳細情報が用意される場合がある。但し、本発明は、このように、データベース６から、一つの対象物についての簡易情報と詳細情報が得られるようにしたものには限定されず、それらの一方だけが得られるものであっても差し支えない。また、ある対象物には簡易情報だけが得られ、他の対象物には詳細情報だけが得られるようにしても構わない。
【００２４】
情報表示制御手段７は、検索手段５が検索した情報を、対象物状態検出手段４が検出した対象物の状態に対応させ、観察者に認識し易くなるようにして情報表示手段８に表示させる。但し、本発明は、情報表示手段８を設けることなく、上記の表示手段２で兼用させるようにしても構わない。そのため、そのようにした場合には、簡易情報も詳細情報も表示手段２に表示されることになる。また、表示手段２と情報表示手段８とを個別に設けるようにした場合には、両者に全く同じ表示を行うようにしても構わないが、以下においては、表示手段２には簡易情報を表示させ、情報表示手段８には詳細情報を表示させる場合で説明する。
【００２５】
情報表示制御手段７は、最初から簡易情報と詳細情報の両方を表示させるようにしてもよい。しかし、観察者が最初から詳細情報の表示を要求していないときは、名称などの簡易情報だけを表示させる。そして、その簡易情報は、観察者が実際に観察しながら特定の対象物として選択した表示手段２の画面上に表示され、しかも、対象物状態検出手段４の位置検出手段によって検出された対象物の近傍位置に表示される。その場合、位置検出手段が、対象物が画面の所定の領域、例えば、画面の中央領域にあることを検出した場合には、観察者が最も注目している対象物であると判断して、他の領域にあるときよりも大きく表示させることが可能である。
【００２６】
また、対象物状態検出手段４の大きさ検出手段の検出結果に基き、対象物の大きさに対応した大きさで表示させるようにして、大きさの異なる複数の対象物がある場合には、対象物と表示との対応を観察者に認識し易くすることが可能である。また、対象物状態検出手段４の距離検出手段の検出結果によって、遠方にある対象物には表示を小さくし、近くにある対象物には大きく表示するようにすることが可能である。それによって、距離の異なる複数の対象物を抽出した場合などは、観察者に立体感を与えることになる。
【００２７】
また、対象物が、表示手段２の画面上で、隅から中央に徐々に移動している場合などは、対象物状態検出手段４の移動量検出手段の検出結果に対応して、最初は小さく表示し、中央への移動量に合わせて、表示を徐々に大きくしていくことも可能になっている。また、対象物の大きさが変化しているような場合、例えば風船を膨らましているような場合には、対象物状態検出手段４の変化量検出手段の検出結果に対応し、変化量に合わせて表示を徐々に大きくしていくなど、表示を変化させることが可能になっている。
【００２８】
他方、特定の対象物についての詳細情報を表示するように指示した場合は、情報表示手段８に表示されることになる。その場合、対象物状態検出手段４の位置検出手段の検出結果によって、対象物が表示手段２の画面上で所定の領域、例えば、画面の中央領域にあるときは、詳しい詳細情報（解説）を表示させ、その他の領域にあるときは、短い詳細情報を表示させるようにすることが可能である。そのため、観察者は、撮影手段１の向きを変え、対象物が表示手段２の中央領域にくるようにすれば、より詳しい詳細情報を得ることが可能になる。また、対象物状態検出手段４の距離検出手段の検出結果によって、例えば、その対象物が撮影手段１から１００ｍ以上遠方にあるときには、短い詳細情報を表示させ、１００ｍ未満のときには、より詳しい詳細情報を表示させるようにする、というようなことが可能である。
【００２９】
また、表示手段２の画面上で、対象物が隅から中央に移動している場合などは、対象物状態検出手段４の移動量検出手段の検出結果に対応して、最初は短い詳細情報を表示させているが、中央に移動するにしたがって、長い詳細情報を表示させるようにしたり、情報を追加していくようにしたりすることが可能である。また、形状・模様などが変化するような対象物の場合は、対象物状態検出手段４の変化量検出手段の検出結果によって、複数の変化段階に対応した各々の詳細情報を表示させるようにすることも可能である。
【００３０】
更に、上記のように、簡易情報と詳細情報とのいずれかを、観察者が選択して表示させるのではなく、情報表示制御手段７が自動的に判断して表示させるようにすることも可能である。例えば、対象物状態検出手段４の距離検出手段の検出結果に対応して、対象物が遠方にあるときには簡易情報を表示させ、近くにあると詳細情報を表示させるようにしたり、対象物状態検出手段４の位置検出手段の検出結果に対応して、対象物が画面の中央部など所定の領域にあるときには詳細情報を表示させ、その他の領域にあるときには簡易情報を表示させるようにしたり、対象物が飛行機や自動車のように高速で画面を横切って移動している場合には、詳細情報を表示しても対象物の画像とのタイミングが合わなくなってしまうことがあるので、そのような場合には、対象物状態検出手段４の移動量検出手段の検出結果に対応して、簡易情報だけを表示させるようにすることが可能である。
【００３１】
次に、このような情報表示システムを携帯情報端末に適用した場合の二つの実施例を、図面を用いて説明するが、それらの説明においても上記の図１は引用される。また、図２は、携帯情報端末の概要を説明するための図であるが、この図２は、両方の実施例の説明に用いられる。そして、図３および図４は、実施例１を説明するためのものであり、図５および図６は、実施例２を説明するためのものである。
【実施例１】
【００３２】
図２に示されている携帯情報端末１１は、第１本体部と第２本体部がヒンジで折り畳み可能になっていて、当然のことではあるが外部との通信機能を有している。そして、図２において略直立させられている第１本体部には、外面側に、上記した撮影手段１としてのカメラ１１ａが備えられ、内面側に、上記した表示手段２としての第１表示部１１ｂが備えられている。また、他方の第２本体部には、内面側に、上記の情報表示手段８としての第２表示部１１ｃと、本発明の情報表示システムの操作を行うためだけではなく、携帯情報端末１１としての諸々の操作を行なうために必要な複数のキーを有する操作部１１ｄが備えられており、内部には、上記の抽出手段３，対象物状態検出手段４，検索手段５，データベース６，情報表示制御手段７などを構成する種々の電子部品が取り付けられている。
【００３３】
それらのうち、カメラ１１ａは、ＣＣＤなどの撮像素子を備えていて、操作部１１ｄの操作によって、所望の視野の被写界を撮影し、その画像を第１表示部１１ｂにリアルタイムで表示できるようにされているほか、静止画や動画として内蔵されている記憶装置に記憶させることも可能になっている。
【００３４】
また、第１表示部１１ｂはタッチパネルになっており、観察者は、第１表示部１１ｂに表示されている画像の中から、所望の対象物に指１２を触れることによって、その対象物についての情報を知ることができるようになっている。そのため、この場合のタッチパネルは、上記の抽出手段３の始動操作手段といえるものである。但し、本発明は、指定したい対象物が、例えば動物であるということを操作部１１ｄで入力しておいてから、第１表示部１１ｂに表示されている複数の動物のうち特定の動物にタッチするようにしてもよいし、第１表示部１１ｂがタッチパネルになっているかどうかに関係なく、操作部１１ｄだけで画面上での特徴的な情報を入力できるようにしてもよい。
【００３５】
更に、この携帯情報端末１１の場合、指定した対象物についての情報は、その情報が簡易情報の場合には第１表示部１１ｂに表示され、詳細情報の場合には第２表示部１１ｃに表示されるようにしている。但し、本発明は、既に述べたように、第２表示部１１ｃを第１表示部１１ｂで兼用するようにしてもよいし、必ずしも対象物についての簡易情報と詳細情報とに分けて表示させる必要がないものであるから、このように表示分けをすることについては、一例として示したものに過ぎない。
【００３６】
そこで、本実施例の携帯情報端末１１の使用態様を説明する。図２に示されているように、カメラ１１ａで捕らえている視野の中には、数本の高木と、数本の潅木と、遠方の丘にいる２頭の象と、池に入っている１頭の河馬と、右側の高木の根元から這い出してきた１匹の蛇と、手前側の潅木付近で戯れている２匹の蝶が入っていて、携帯情報端末１１の第１表示部１１ｂにリアルタイムで表示されている。このとき、第２表示部１１ｃには、何も表示されていない。尚、蛇は、実際にはもっと小さく、周知のように身体の殆どを地面に接触させた姿勢をしているが、図面上では便宜的な姿で描かれている。
【００３７】
この表示状態では、象は遠方に居るので、実際には動いていたとしても、観察者にとっては僅かにしか動いていないように感じられるし、河馬は池の中で動いていない。また、蝶は、動いてはいるものの一定の範囲で戯れているだけであり、しかも、観察者としては特に関心をもっていない。このとき、観察者が一番興味を持ったのは、画面の右側の高木の根元から這い出してきた蛇である。そのため、観察者が、第１表示部１１ｂの画面上で指１２を蛇にタッチした瞬間が、図２に示された状態である。
【００３８】
このようにして、指１２を蛇にタッチすると、蛇の画像情報が上記の抽出手段３によって抽出され、その情報が、対象物状態検出手段４と検索手段５に与えられる。そのため、一方では、上記した対象物状態検出手段４の位置検出手段が、その蛇が、第１表示部１１ｂの画面上で予め設定されている所定の中央領域Ａ（図３参照）には居らず、現在のところ、右側の高木の根元の近傍位置に居ることを検出し、その情報を情報表示制御手段７に与えるが、このような位置検出の情報は継続的に与えられることになる。
【００３９】
他方、上記した検索手段５は、データベース６から、その特定の対象物が、単に「へび」であるという一般名称を簡易情報として引き出すだけではなく、もっと具体的な固有名称や写真，解説文などに関する詳細情報を引き出し、情報表示制御手段７に与える。尚、本実施例では、一般名称を簡易情報とし、固有名称を詳細説明としているが、一般名称を表示せず、最初から固有名称を簡易情報として表示するようにしても差し支えない。
【００４０】
情報表示制御手段７は、まず、対象物状態検出手段４の位置検出手段から得た情報によって、観察者が特定の対象物として蛇を指定したことを示すために、第１表示部１１ｂの画面上において、蛇の直ぐ近くに「×」印を表示させる。そして、つぎに、対象物状態検出手段４から得た情報と、検索手段５を介してデータベース６から得た情報とから、蛇が画面の中央領域Ａに居ないので簡易情報だけを選択し、蛇の一般名称である「へび」という文字を標準の大きさで、「×」印のそばに表示させる。図３は、そのようにした第１表示部１１ｂの表示状態を示したものである。
【００４１】
本実施例の場合には、このときにも、第２表示部１１ｃには、何も表示されていない。しかしながら、第１表示部１１ｂと同様に、「へび」という文字を表示させるようにしても差し支えない。また、本発明は、指定マークとして、蛇の近くに上記のような「×」印を表示することを必須とはしていないが、本実施例のように、第１表示部１１ｂに「×」印を表示する場合であって、指定した対象物が一つだけの場合には、「へび」という文字を第１表示部１１ｂの隅にだけ表示させたり、第２表示部１１ｃにだけ表示させたりしてもよい。
【００４２】
また、蛇を指定した後に象も指定したような場合には、蛇の指定マークを「１」にし、象の指定マークを「２」にして、第１表示部１１ｂには、それらの指定マークだけを表示させ、第２表示部１１ｃに、それらの指定マークと共に「へび」，「ぞう」という文字を表示させるようにしてもよい。
【００４３】
ところで、上記したように、象，河馬，蝶は、実際には動いていたとしても、画面上では大きく位置を移動させていない。しかし、蛇の場合には池に辿り着こうとして、他の動物よりも画面上での位置を大きく移動させている。そして、対象物状態検出手段４は、その移動中も、蛇の位置をリアルタイムで検出している。そのため、上記の「×」と「へび」の表示も、蛇の移動に伴って、共に移動していくことになる。そのようにして、蛇が、画面の中央領域Ａに達した状態が図４に示されている。
【００４４】
図４（ａ）に示されているように、蛇が画面の中央領域Ａに達したことを対象物状態検出手段４が検出すると、情報表示制御手段７は、その位置情報によって、図４（ｂ）に示されているように、第２表示部１１ｃに、詳細情報として、データベース６から引き出した蛇の写真と、固有名称や具体的な説明文を表示させる。但し、第２表示部１１ｃに表示される詳細情報は、説明文だけであっても構わない。
【００４５】
また、本発明は、第２表示部１１ｃを第１表示部１１ｂで兼用させてもよいため、そのようにした場合には、第１表示部１１ｂの一部の領域に、例えば、第２表示部１１ｃに表示されている説明文だけを表示させてもよい。更に、本発明は、本実施例における詳細情報を表示させることを必須としていないので、蛇が中央領域Ａに入ったときは、図４（ａ）に示されている「へび」という文字を、図３に示されている「へび」という文字と同じ大きさのままではなく、大きくしたり、太くしたり、色を変えたりして、表示形式を変えるだけにしてもよい。要は、観察者の認識が強くなるようになればよい。
【００４６】
このようにして、観察者が、特定の対象物である蛇についての情報を十分に得た後、その情報の表示を画面から消去したい場合には、もう一度、第１表示部１１ｂで蛇にタッチするか、操作部１１ｄを操作することによって、特定の対象物の指定を解除することになる。また、蛇が、移動して画面から消えてしまったような場合には、所定の時間が経っても画面上に戻ってこないとき、その指定が自動的に解除されるようにしてある。
【００４７】
尚、上記の説明は、第１表示部１１ｂの画面上で、複数の対象物を指定し、それらの情報を同時に表示させることができることを前提にして説明したが、本発明は、対象物の指定を一旦解除しておかないと次の対象物を指定できないようにしても構わない。
【実施例２】
【００４８】
次に、図５および図６を用いて実施例２を説明するが、上記したように、本実施例の説明においては、上記の図１と図２が、そのまま用いられる。そのため、それらの図面の記載についての説明は省略する。
【００４９】
本実施例の場合にも、観察者は、画面の右側から這い出してきた蛇に一番興味を持ち、第１表示部１１ｂの画面上で、まず指１２を蛇にタッチした瞬間が図２に示された状態である。ところが、このとき、河馬は池の中で動いていないが、象と蝶は、明らかに動いていることが視認できるため、観察者は、それらについても興味を抱き、蛇に続いて象，蝶の順にタッチした直後の表示状態が図５に示されている。
【００５０】
このようにして、指１２を蛇，象，蝶の順にタッチすると、それらの画像情報が上記の抽出手段３によって順に抽出され、その情報が、対象物状態検出手段４と検索手段５に順に与えられる。それによって蛇は、対象物状態検出手段４の位置検出手段によって、画面の右方に居ることを検出され、対象物状態検出手段４の距離検出手段によって、予め設定された標準の距離（例えば、１０〜５０ｍ）にあることを検出される。同様にして、象は、画面の上方に居ることを検出されると共に予め設定された遠距離（例えば、５０ｍ以上）にあることを検出され、蝶は、画面の右方に居ることを検出されると共に予め設定された近距離（例えば、１０ｍ以下）にあることを検出される。そして、それらの情報は情報表示制御手段７に与えられる。
【００５１】
更に、蛇については、観察者がとりわけ興味を惹かれているので、画面上でタッチするだけではなく、操作部１１ｄを操作することによって、第１表示部１１ｂには、他の象や蝶と同様に簡易情報を表示させるが、第２表示部１１ｃにはその蛇の詳細情報を表示させるようにする。そして、その情報も対象物状態検出手段４と検索手段５に与えられる。
【００５２】
そこで、検索手段５は、データベース６から、それらの対象物についての一般名称である簡易情報を引き出すと共に、蛇については、固有の画像や具体的な説明文に関する情報を引き出し、情報表示制御手段７に与える。尚、本実施例では、操作部１１ｄを操作したときに、検索手段５がデータベース６から詳細情報を引き出すようにしているが、第１表示部１１ｂにおいて、蛇，象，蝶にタッチしただけで、それらの詳細情報を引き出すようにし、後述の情報表示制御手段７は、それらの詳細情報から、操作部１１ｄを操作した蛇の詳細情報だけを選択するようにしてもよい。
【００５３】
情報表示制御手段７は、まず、対象物状態検出手段４の位置検出手段から得た情報によって、観察者が蛇，像，蝶を特定の対象物として指定したことを示すために、第１表示部１１ｂの画面上において、それらの対象物の直ぐ近くに「×」印を表示させる。次に、対象物状態検出手段４の位置検出手段および距離検出手段から得た情報と、検索手段５を介してデータベース６から得た情報とから、蛇には、一般名称である「へび」という文字を標準の大きさで表示させ、象には、「へび」よりも小さい文字で「ぞう」と表示させ、蝶には、「へび」よりも大きい文字で「ちょう」と表示させる。図５（ａ）は、そのように表示した第１表示部１１ｂの画面を示したものである。
【００５４】
また、本実施例の場合には、操作部１１ｄの操作によって、蛇の詳細情報を表示させることが要求されているので、情報表示制御手段７は、蛇の詳細情報を第２表示部１１ｃに表示させる。その表示状態が、図５（ｂ）に示されている。このとき、第２表示部１１ｃには、データベース６から引き出された蛇の写真と、固有名称も含めた説明文が表示されているが、蛇は、第１表示部１１ｂの画面上で中央領域Ａ（図６（ｂ）参照）には居らず、右方位置に居るため、説明文は比較的簡単なものになっている。
【００５５】
対象物状態検出手段４の位置検出手段と距離検出手段は、その後も、蛇，象，蝶の位置と距離を検出している。そのため、例えば、象が所定の距離よりも近くなれば、「ぞう」の文字も大きくなる。このような文字の大きさは、距離に応じて連続的に変化するようにしても構わないが、象がゆっくり歩いているような場合には、文字の大きさが変化しているのを認識するのが困難である。そのため、どちらかというと、本実施例のように段階的に大きさを変えるようにしたほうが、視覚に及ぼす度合いが大きい。
【００５６】
ところで、本実施例の場合、第１表示部１１ｂの画面上で、右側の高木の根元から這い出した蛇は、河馬のいる池の方へ移動している。そして、その移動中におけるカメラ１１ａとの距離はあまり変わらない。そのため、上記の「×」と「へび」の表示は、図５（ａ）のときと同じ大きさのまま、蛇の移動に伴って移動していくことになる。そして、蛇が、画面の中央領域Ａに達した状態が図６に示されている。
【００５７】
図６（ａ）に示されているように、蛇が、第１表示部１１ｂの画面上で、中央領域Ａに達したことを対象物状態検出手段４の位置検出手段が検出すると、情報表示制御手段７は、その位置情報によって、図６（ｂ）に示されているように、第２表示部１１ｃに表示されている説明文を、より詳細なものに変更させる。尚、この表示の変更については、蛇が、第１表示部１１ｂの中央領域Ａに近づくにしたがって、３段階以上に変更されるようにしても構わない。
【００５８】
このようにして、観察者が、蛇についての詳細情報を十分に得た後、その情報の表示を第２表示部１１ｃの画面から消去したい場合には、もう一度、操作部１１ｄを操作することになる。また、第１表示部１１ｂの画面から簡易情報を消去する方法や、特定の対象物が画面から外れたときの処理は、実施例１の場合と同じである。更に、蛇の代わりに、象の詳細情報を得たい場合は、蛇の詳細情報を消去した後、蛇の場合と同様にして象を指定すればよい。但し、図６（ｂ）に示されている第２表示部１１ｃの画面を分割することによって、複数の対象物についての詳細情報を同時に表示できるようにすることも可能である。
【００５９】
以上のように、本実施例においては、特定の対象物の距離に応じて簡易表示の大きさを変化させることと、特定の対象物が中央領域Ａに入っているか否かによって詳細情報の情報量を変化させることとの両方を、同時に行えるようにした場合で説明したが、本発明は、それらの一方だけを行えるようにしても構わないし、特定領域Ａが中央を含まなくても構わない。既に説明したように、対象物状態検出手段４に、位置検出手段と距離検出手段のほか、大きさ検出手段，移動量検出手段，変化量検出手段などを選択的に採用するようにしても構わない。
【００６０】
尚、上記の各実施例においては、カメラ１１ａを固定しておき、蛇が移動している場合で説明したが、カメラ１１ａの撮影方向を変えることによって、蛇を画面の中央領域Ａで捕らえた場合にも、同じようにして表示形式が変わるようになっていることは言うまでもない。また、上記の各実施例においては、対象物状態検出手段４として、位置検出手段と距離検出手段を用いる場合について説明したが、図１を用いて説明したように、対象物状態検出手段４としては、位置検出手段，距離検出手段，大きさ検出手段，移動量検出手段，変化量検出手段などを一つ又は複数備えていて、それらの一つ又は複数を選択的に用いることによって、特定の対象物に対する表示形式を変え得るようにしたものは、全て本発明の実施態様である。
【図面の簡単な説明】
【００６１】
【図１】実施態様の構成を説明するためのブロック図である。
【図２】実施例の携帯情報端末の概要を説明するための図である。
【図３】実施例１の携帯情報端末の使用例を説明するための図であって、特定の対象物を指定した直後における第１表示部での表示状態を示した図である。
【図４】図３と同一視野における所定時間経過後の表示状態を説明するための図であって、図４（ａ）は第１表示部の表示状態を示した図であり、図４（ｂ）は第２表示部の表示状態を示したものである。
【図５】実施例２の携帯情報端末の使用例を説明するための図であって、図５（ａ）は、特定の対象物を指定した直後における第１表示部の表示状態を示したものであり、図５（ｂ）は、そのときの第２表示部の表示状態を示したものである。
【図６】図５と同一視野における所定時間経過後の表示状態を示した図であって、図６（ａ）は、第１表示部の表示状態を示したものであり、図６（ｂ）は第２表示部の表示状態を示したものである。
【符号の説明】
【００６２】
１          撮影手段
２          表示手段
３          抽出手段
４          対象物状態検出手段
５          検索手段
６          データベース
７          情報表示制御手段
８          情報表示手段
１１        携帯情報端末
１１ａ      カメラ
１１ｂ      第１表示部
１１ｃ      第２表示部
１１ｄ      操作部
１２        指
Ａ          中央領域
【図１】
2009301485.tif 000003
【図２】
2009301485.tif 000004
【図３】
2009301485.tif 000005
【図４】
2009301485.tif 000006
【図５】
2009301485.tif 000007
【図６】
2009301485.tif 000008